(57)【要約】【課題】遠隔監視装置を備えたエレベーターにおいて、待機電力供給中止に伴う発報による保守員のむだな出動をなくする。【解決手段】遠隔監視装置９は各号機制御装置３を遠隔監視し、この制御装置３から異常が送信されると、これを通信回路１０を介して監視センタ１１へ発報する。群管理装置１が複数台のエレベーターの内、例えば無方向待機で休止状態の号機に待機電力供給中止のための電源遮断を要求すると、遠隔監視装置９へ監視センタ１１への発報を阻止する。また、上記発報阻止中に、群管理装置１が例えば乗場呼び発生により、電源復帰を要求すると、上記監視センタへの発報を再開する。【選択図】      図１
2005015167.tif 000002
【特許請求の範囲】
【請求項１】
遠隔監視装置が複数台のエレベーターの制御装置を監視し、これらの制御装置から異常が送信されると、これを監視センタへ発報する装置において、群管理装置から上記複数台のエレベーターの内一定条件を満たす号機に待機電力供給中止のための電力遮断を要求する電源遮断要求手段と、上記電源遮断が要求されると、上記遠隔監視装置へ上記監視センタへの発報を阻止する発報阻止通信手段とを備えたことを特徴とするエレベーターの遠隔監視装置。
【請求項２】
群管理装置から電源遮断により待機中のエレベーターの内所定条件を満たす号機に電源復帰を要求する電源復帰要求手段と、上記電源復帰が要求されると、遠隔監視装置へ監視センタへの発報を再開することを発信する発報再開通信手段とを設けたことを特徴とする請求項１記載のエレベーターの遠隔監視装置。
【請求項３】
監視センタへの発報阻止の送信に従って待機電力供給中止のための電源遮断を記憶し、電源復帰後の監視センタへの発報再開に先立って上記電源遮断の記憶を確認する電源遮断記憶手段を設けたことを特徴とする請求項２記載のエレベーターの遠隔監視装置。
【発明の詳細な説明】
【０００１】
【発明の属する技術分野】
この発明は、エレベーターの制御装置を遠隔監視して、異常を監視センタへ発報する装置に関するものである。
【０００２】
【従来の技術】
近来、エレベーター装置では、エレベータ等を管理する管理人を置かないで、エレベーター装置にエレベーターに発生する異常信号を検出する装置を設け、この異常信号を発報する発報装置を備え、この異常信号を通信回路を介して監視センタへ発報する遠隔監視装置が採用されている。
【０００３】
従来のエレベーターの遠隔監視装置においては、エレベーターがパーキング運転を行なったことを検出する検出手段と、この検出手段でパーキング運転が行なわれていることが検出されている状態にあって停電が発生したとき、この停電による異常信号の前記監視センタへの発報を自動的に阻止する手段とを備えるように構成されている（例えば、特許文献１参照）。
【０００４】
【特許文献１】
特許第２８７１９１６号公報（段落０００６、図１）
【０００５】
【発明が解決しようとする課題】
上記のような従来のエレベーターの遠隔監視装置では、パーキング動作中に停電が発生しても発報を阻止するようにしているため、パーキング運転中に生じた停電に際して、保守員がむだに出動することをなくすことができる。しかし、群管理装置から待機号機に、待機電力（エレベーターの待機中に制御回路に流れる電流により消費される電力）の消費を低減するために電源遮断指令が出力されると、監視センタに発報され、保守員は出動しなければならないという問題点がある。
【０００６】
この発明は、上記問題点を解消するためになされたもので、待機電力の供給を中止することによって生じる保守員のむだな出動をなくすことができるようにしたエレベーターの遠隔監視装置を提供することを目的とする。
【０００７】
【課題を解決するための手段】
この発明に係るエレベーターの遠隔監視装置は、群管理装置から複数台のエレベーターの内一定条件を満たす号機に、待機電力供給中止のための電源遮断を要求すると、遠隔監視装置へ監視センタへの発報を阻止することを送信するようにしたものである。
【０００８】
【発明の実施の形態】
実施の形態１．
図１〜図３はこの発明の第１〜第３発明の一実施の形態を示す図で、図１はブロック線図、図２は電源遮断動作フローチャート、図３は電源復帰動作フローチャートである。
図１において、複数台のエレベーターを一群として管理する群管理装置１に、ネットワーク２を介して各号機を制御する各号機制御装置３が接続されている。
【０００９】
各号機制御装置３には、ネットワーク２に接続された各号機通信手段４が設けられており、群管理装置１から電源が供給されて群管理装置１との通信を実行する。各号機通信手段４は各号機単体の運転を制御する運行制御手段５に接続されている。そして、群管理装置１からの電源遮断・復帰指令を受けて電源遮断・復帰の回路に信号を送信する電源遮断・復帰手段６が各号機通信手段４及び運行制御手段５に接続されている。
【００１０】
また、運行制御手段５には、待機電力の消費を低減するために電源が遮断されたことを記憶する電源遮断記憶手段７が接続されている。更に、運行制御手段５には、遠隔監視装置９との通信を実行する発報通信手段８が接続されている。遠隔監視装置９は通信回路１０を介して監視センタ１１に接続されている。
【００１１】
次に、この実施の形態の動作を図２及び図３を参照して説明する。
電源遮断動作（図２）
ステップＳ１で群管理装置１は、一定の条件、例えば特定の号機が無方向待機で休止状態というような条件が満たされるのを待ち、一定の条件が満たされると、ステップＳ２で上記特定の号機へ待機電力供給停止の目的で電源遮断要求を出力する。
【００１２】
ステップＳ３で各号機制御装置３の各号機通信手段４は、群管理装置１からの電源遮断要求を受信すると、これを運行制御手段５へ送信する。ステップＳ４で運行制御手段５は発報通信手段８に対して遠隔監視装置９への発報阻止送信を指示する。また、ステップＳ５で電源遮断記憶手段７に群管理装置１から電源遮断要求があったことを指示し、ステップＳ６で電源遮断・復帰手段６に電源遮断を指示する。
【００１３】
ステップＳ７で発報通信手段８は発報阻止要求を遠隔監視装置９へ送信し、遠隔監視装置９が監視センタ１１へ異常を通報しないようにする。ステップＳ８で電源遮断記憶手段７は待機電力供給停止のために電源遮断されたことを記憶する。ここで、記憶する領域は、電源が復帰しても記憶可能なＲＡＭ領域又は不揮発性のＲＯＭ領域とする。そして、ステップＳ９で電源遮断・復帰手段６は自号機の電源を遮断する。以後、エレベーターは待機電力供給停止状態で待機することになる。
【００１４】
電源復帰動作（図３）
ステップＳ１１で群管理装置１は、一定の条件、例えば乗場呼びが発生し、電源遮断中の号機の運転を再開させるというような条件が満たされるのを待ち、一定の条件が満たされると、ステップＳ１２で上記電源遮断中の号機へ電源復帰要求を出力する。ステップＳ１３で各号機制御装置３の各号機通信手段４は、群管理装置１からの電源復帰要求を受信すると、これを電源遮断・復帰手段６へ指示する。
【００１５】
ステップＳ１４で電源遮断・復帰手段６は電源を復帰する。電源が復帰すると、ステップＳ１５で運行制御手段５は電源遮断時に電源を遮断した記憶があるかを判定する。記憶がなければ処理は終了し、記憶があればステップＳ１６へ進む。ステップＳ１６で発報通信手段８に発報再開要求を指示し、ステップＳ１７で発報通信手段８は遠隔監視装置９へ発報再開を送信する。
以後は、遠隔監視装置９で各号機の異常を監視し、異常があれば通信回線１０を介して監視センタ１１へ発報する。
【００１６】
ここで、ステップＳ１，Ｓ２は電源遮断要求手段を、ステップＳ７は発報阻止通信手段を、ステップＳ８，Ｓ１５は電源遮断記憶手段を、ステップＳ１１，Ｓ１２は電源復帰要求手段を、ステップＳ１６は発報再開通信手段を構成している。
【００１７】
このようにして、群管理装置１から待機電力供給中止のための電源遮断が要求されると、監視センタ１１への発報を阻止し、群管理装置１から電源復帰が要求されると、監視センタ１１への発報を再開するようにしたため、保守員のむだな出動をなくすことが可能となる。
また、電源遮断を記憶し、電源復帰時に上記記憶を確認して発報再開するようにしたため、発報再開時の操作を確実にすることが可能となる。
【００１８】
【発明の効果】
以上説明したとおりこの発明では、群管理装置から複数台のエレベーターの内一定条件を満たす号機に、待機電力供給中止のための電源遮断を要求すると、遠隔監視装置へ監視センタへの発報を阻止することを送信するようにしたので、保守員のむだな出動をなくすことができる。
【図面の簡単な説明】
【図１】この発明の実施の形態１を示すブロック線図。
【図２】この発明の実施の形態１を示す電源遮断動作フローチャート。
【図３】この発明の実施の形態１を示す電源復帰動作フローチャート。
【記号の説明】
１  群管理装置、３  各号機制御装置、４  各号機通信手段、５  運行制御手段、６  電源遮断・復帰手段、７  電源遮断記憶手段、８  発報通信手段、９  遠隔監視装置、１０  通信回路、１１  監視センタ。
Ｓ１，Ｓ２  電源遮断要求手段、Ｓ７  発報阻止通信手段、Ｓ８，Ｓ１５  電源遮断記憶手段、Ｓ１１，Ｓ１２  電源復帰要求手段、Ｓ１６  発報再開通信手段。
【図１】
2005015167.tif 000003
【図２】
2005015167.tif 000004
【図３】
2005015167.tif 000005